(57)【要約】【課題】長時間着用しても、腹部の縫い目による縫い目痕ができず、また、ウエスト部の締付力による食い込み痕の発生が抑制される、パンティストッキング等のレッグウエア及びその製造方法を提供することを課題とする。【解決手段】ウエスト部１２、腹部１３、脚部４及びつま先部５から成り、腹部１３の縫い目９が外側に表出し、つま先部５の縫い目６が内側に隠れていることを特徴とする。腹部１３の縫い目９は針糸1列である。ウエスト部１２にＶ字カット部１０が設けられることがある。【選択図】図５
2020165007.tif 000002
【特許請求の範囲】
【請求項１】
ウエスト部、腹部、脚部及びつま先部から成り、前記腹部の縫い目が外側に表出し、前記つま先部の縫い目が内側に隠れていることを特徴とするレッグウエア。
【請求項２】
前記腹部の縫い目は針糸1列である、請求項１に記載のレッグウエア。
【請求項３】
前記ウエスト部にＶ字形切込みを有する、請求項１又は２に記載のレッグウエア。
【請求項４】
ウエスト部構成部、腹部構成部、脚部及びつま先部から成る筒状の白生地を編立てる白生地編立て工程と、
前記つま先部の下端部を縫合するつま先部縫合工程と、
前記つま先部を縫合した白生地を裏返し、つま先部の縫い目が内側に隠れるようにする第１裏返し工程と、
前記ウエスト部構成部から前記腹部構成部にかけて縦に切り込みを入れ、連結縫合用の切り口を設ける切り込み工程と、
一対の前記白生地の前記切り口同士を縫合して一対の前記白生地を連結し、レッグウエア形状にする連結縫合工程と、
前記連結縫合した後に全体を裏返す第２裏返し工程と、
を含むことを特徴とするレッグウエアの製造方法。
【請求項５】
前記切り込み工程は、前記ウエスト部構成部の前記切り口の上部を斜めに切り落として斜めカット部を形成する処理を含む、請求項４に記載のレッグウエアの製造方法。
【請求項６】
前記連結縫合工程における切り口同士の縫合は、１列の針糸のみで行う、請求項４又は５に記載のレッグウエアの製造方法。
【発明の詳細な説明】
【技術分野】
【０００１】
本発明は、レッグウエアに関するものであり、より詳細には、着用時に腹部に縫い目痕ができず、また、ウエスト部の食い込みが抑制されて着脱しやすいパンティストッキング、タイツ等の、主に女性用のレッグウエア及びその製造方法に関するものである。
【背景技術】
【０００２】
例えば、パンティストッキングはウエスト部構成部、腹部構成部、脚部及びつま先部から成り、全体的に伸縮性に富む組織に編み上げられている。一般にパンティストッキングは、先ず、筒状に編立てられた白生地と称される筒状体を一対、それぞれつま先部を縫合した後にウエスト構成部から腹部構成部にかけて切り込みを入れ、その切り口同士を縫合してパンティストッキング形状にして仕上げられる。
【０００３】
パンティストッキングはこのようにして作られるため、腹部に縦に縫い目ができ、その縫い目は、つま先部の縫い目と共に内側に隠される。従って、着用に際し、その縫い目が着用者の腹に強く当たり続けることになるので、腹に縦に縫い目痕が残る。また、腹部の上側に他の部分よりも締付力の強いウエスト部が設けられるが、このウエスト部が腰回り部に食い込むことにより、腰回り部に食い込み痕が残る。
【０００４】
これらの縫い目痕及び食い込み痕はすぐには消えず、気になるものである。これらの問題はパンティストッキングに限らず、タイツその他のレッグウエアに共通の問題である。
【先行技術文献】
【特許文献】
【０００５】
【特許文献１】実開平１−２２７１１号公報
【特許文献２】実開平６−４００６号公報
【発明の概要】
【発明が解決しようとする課題】
【０００６】
上述したように、パンティストッキング等を着用した場合、白生地同士の縫合により腹部に縦にできる縫い目によって縫い目痕ができ、また、ウエスト部の締付力によって食い込み痕ができることは不可避であり、着用者は、気にしつつも、それはやむを得ないことと捉えているのが現状である。
【０００７】
本発明はかかる背景の下になされたもので、長時間着用しても、腹部の縫い目による縫い目痕ができず、また、ウエスト部の締付力による食い込み痕の発生が抑制される、パンティストッキング等のレッグウエア及びその製造方法を提供することを課題とする。
【課題を解決するための手段】
【０００８】
上記課題を解決するための請求項１に係る発明は、ウエスト部、腹部、脚部及びつま先部から成り、前記腹部の縫い目が外側に表出し、前記つま先部の縫い目が内側に隠れていることを特徴とするレッグウエアである。
【０００９】
一実施形態においては、前記腹部の縫い目は針糸1列である。また、前記ウエスト部にＶ字形切込みが設けられることがある。
【００１０】
上記課題を解決するための請求項４に係る発明は、
ウエスト部構成部、腹部構成部、脚部及びつま先部から成る筒状の白生地を編立てる白生地編立て工程と、
前記つま先部の下端部を縫合するつま先部縫合工程と、
前記つま先部を縫合した白生地を裏返し、つま先部の縫い目が内側に隠れるようにする第１裏返し工程と、
前記ウエスト部構成部から前記腹部構成部にかけて縦に切り込みを入れ、連結縫合用の切り口を設ける切り込み工程と、
一対の前記白生地の前記切り口同士を縫合して一対の前記白生地を連結し、レッグウエア形状にする連結縫合工程と、
前記連結縫合した後に全体を裏返す第２裏返し工程と、
を含むことを特徴とするレッグウエアの製造方法である。
【００１１】
一実施形態においては、前記切り込み工程は、前記ウエスト部構成部の前記切り口の上部を斜めに切り落として斜めカット部を形成する処理を含む。また、一実施形態においては、前記連結縫合工程における切り口同士の縫合は、１列の針糸のみで行う。
【発明の効果】
【００１２】
本発明に係るレッグウエアは上記のとおりであって、連結縫合により生ずる縫い目が外側に位置するため、長時間着用しても、着用者の腹に縫い目による縫い目痕ができず、また、ウエスト部にＶ字形切込みを設けた場合は、ウエスト部の締付力が弱まるため、食い込み痕の発生が抑制され、且つ、ウエスト部が広がりやすくなるため、着脱が容易となる効果がある。
【図面の簡単な説明】
【００１３】
【図１】本発明に係るレッグウエアの製造方法の白生地編立て工程を示す図である。
【図２】本発明に係るレッグウエアの製造方法のつま先部縫合工程を示す図である。
【図３】本発明に係るレッグウエアの製造方法の切り込み工程を示す図である。
【図４】本発明に係るレッグウエアの製造方法の切り込み工程を示す図である。
【図５】本発明に係るレッグウエアの製造方法の連結縫合工程を示す図である。
【図６】本発明に係るレッグウエアの製造方法の仕上げ工程を示す図である。
【発明を実施するための形態】
【００１４】
本発明を実施するための形態について、添付図面に依拠して説明する。図１乃至図６は、本発明に係るレッグウエアの一実施形態として、パンティストッキングに適用した場合の図である。本発明に係るレッグウエア（パンティストッキング）は、ウエスト部１２、腹部１３、脚部４及びつま先部５から成り、ウエスト部１２及び腹部１３の縫い目９が外側に表出し、つま先部５の縫い目６が内側に隠れていることを特徴とする。
【００１５】
このパンティストッキングは、基本的には一般のものと同様に、ウエスト部構成部２、腹部構成部３、脚部４及びつま先部５から成る一対の白生地１を、ウエスト部構成部２から腹部構成部３にかけて切り込みを入れ、その切り口７同士を連結縫合して製造されるものである。但し、本発明に係るパンティストッキングの場合は、ウエスト部１２及び腹部１３の縫い目９が外側に表出するものであるため、以下に説明するように、切り口７同士の連結縫合工程等において、一般の方法と相違する。
【００１６】
本発明に係るパンティストッキングは、以下の工程を経て製造される。
（１）白生地編立て工程
先ず、従来と同様の方法にて、ウエスト部構成部２、腹部構成部３、脚部４及びつま先部５から成る筒状の白生地１を編立てる（図１）。
（２）つま先部縫合工程
次いで、やはり従来と同様の方法で、即ち、トゥークローザーを用いてつま先部５の下端部を縫合する（図２）。
（３）第１裏返し工程
つま先部５を縫合した後白生地１を裏返し、つま先部５の縫い目６が内側に隠れるようにする。
（４）切り込み工程
次いで、内股側のウエスト部構成部２から腹部構成部３にかけて縦に切り込みを入れ、連結縫合用の切り口７を設ける（図３，４）。
（５）連結縫合工程    
この工程は、従来と同様の方法にて、一対の白生地１の切り口７同士を縫合し、一対の白生地１を連結してウエスト部１２及び腹部１３を完成させて、パンティストッキング形状にする工程である（.図５）。その際、必要に応じてマチを付け、股ぐりを縫い合わせる。
（６）第２裏返し工程
一般的な製造方法の場合は、上記連結縫合による縫い目９は内側にくるのでそのままにされるが、本発明に係る方法の場合は、連結縫合後に再度裏返して、縫い目９が外側に出るようにする。
（７）仕上げ工程
連結縫合した後、引っ張り等の仕上げ処理をする工程である（図６参照）。
【００１７】
このように本発明に係る方法の場合は、連結縫合後に裏返して縫い目８が外側に出るようにするので、どうしても縫い目９が目立つ。そこで、本発明に係る方法においては、この外側に出る縫い目９ができるだけ目立たなくなるような縫い方をする。
【００１８】
即ち、この連結縫合は、一般的には２本の針が並ぶオーバーロックミシンを用いて行われるが、本発明に係る方法においては、その２本の針のうちの外側１本を抜いて、内側の１本の針のみで縫合することとする。その場合の針糸は、内側のみの１列になるため縫い目幅が狭くなり、縫い目９はそれほど目立たないものとなる。もちろんその分縫合強度が落ちるが、パンティストッキングの場合は、伝線による交換頻度が高いことを考慮すれば、縫い目９のほつれに起因する交換は少ないと考えられるので、縫合強度の低下は大きな問題とはならない。
【００１９】
また更に、上糸と下糸の引っ張り合う強さを調節する糸調子を緩めることで縫い目９を緩くすることができ、それにより、縫い目９の目立ちを押さえることができる。
【００２０】
本発明に係る方法の一態様においては、上記切り込み工程において、切り口７の上端部を斜めに切り落として斜めカット部８を設ける（図３，４参照）。このようにして斜めカット部８を設けた場合は、連結縫合工程を経て、一方の白生地１のウエスト部構成部２と他方の白生地１のウエスト部構成部２の間、換言すれば、前後の縫い目９の上端部にＶ字形切込み１０が生成されることになる（図５参照）。なお、この斜めカット部８は、他の部分と縫製されることなく、剥き出しのままとなるので、連結縫合に先立ち、あるいは、その後に、ほつれ防止のためのかがり縫い等を施す（図４参照）。
【００２１】
このようにしてＶ字形切込み１０が形成されることにより、ウエスト部２における締付力が弱まり、強い締付力によってウエスト部１２が着用者の腰回り部分に食い込むことが抑止され、また、ウエスト部２が広がりやすくなるため、着脱が容易となる。なお、このＶ字形切込み１０は、連結縫合工程後、即ち、パンティストッキング形状に仕上げた後に、ウエスト部１２に切り込みを入れて形成することもできる。
【００２２】
上記説明はパンティストッキングを例にしたものであるが、他のストッキング、タイツ等のレッグウエアについても、上記パンティストッキング１の場合と特に変わりはない。
【産業上の利用可能性】
【００２３】
本発明に係るレッグウエアは上記のとおりであって、連結縫合により生ずる縫い目が外側に位置するため、長時間着用しても、着用者の腹に縫い目による縫い目痕ができず、また、ウエスト部にＶ字形切込みを設けた場合は、ウエスト部の締付力が弱まるため、食い込み痕の発生が抑制され、且つ、ウエスト部を広げやすくなるために着脱が容易となる効果のあるものであり、産業上の利用可能性は大である。
【符号の説明】
【００２４】
１          白生地
２          ウエスト部構成部
３          腹部構成部
４          脚部
５          つま先部
６          縫い目
７          切り口
８          斜めカット部
９          縫い目
１０        Ｖ字形切込み
１２        ウエスト部
１３        腹部
【図１】
2020165007.tif 000003
【図２】
2020165007.tif 000004
【図３】
2020165007.tif 000005
【図４】
2020165007.tif 000006
【図５】
2020165007.tif 000007
【図６】
2020165007.tif 000008